(57)【要約】  カスタムプロフィール提供方法は、チャットルームに対して前記チャットルームに表示されるプロフィールのカスタマイズのための入力イベントが認識されれば、前記チャットルームに写真添付機能を提供する段階、前記チャットルームで作成されたメッセージの送信要求に前記写真添付機能によって特定された写真が含まれる場合、前記メッセージとともに前記特定された写真を送信する段階、および前記チャットルームの前記メッセージと対応する前記メッセージのプロフィール領域に前記送信された写真を表示する段階を含む。【選択図】図４
2021520533.tif 000002
【特許請求の範囲】
【請求項１】
電子機器の少なくとも１つのプロセッサにカスタムプロフィール提供方法を実行させるプログラムであって、  前記カスタムプロフィール提供方法は、
前記少なくとも１つのプロセッサにより、チャットルームに対して前記チャットルームに表示されるプロフィールのカスタマイズのための入力イベントが認識されれば、前記チャットルームに写真添付機能を提供する段階、
前記少なくとも１つのプロセッサにより、前記チャットルームで作成されたメッセージの送信要求に前記写真添付機能によって特定された写真が含まれる場合、前記メッセージとともに前記特定された写真を送信する段階、
前記少なくとも１つのプロセッサにより、前記チャットルームの前記メッセージと対応する前記メッセージのプロフィール領域に前記送信された写真を表示する段階
を含む、プログラム。
【請求項２】
前記提供する段階は、
前記チャットルームに対して認識された入力イベントに基づき、写真撮影のためのカメラビューおよび前記電子機器に保存された写真のうちの少なくとも一部を含む写真推薦リストのうちの少なくとも１つの写真添付機能を決定し、前記決定された少なくとも１つの写真添付機能を前記チャットルームに提供する段階
を含む、請求項１に記載のプログラム。
【請求項３】
前記提供する段階は、
前記チャットルームのメッセージ入力ウィンドウにタグとして定義された特殊文字が入力されれば、前記チャットルームで前記写真添付機能を自動的にアクティブ化する段階
を含む、請求項２に記載のプログラム。
【請求項４】
前記タグは、前記写真添付機能のうち、前記カメラビューを呼び出すための第１タグと前記写真推薦リストを呼び出すための第２タグとを含む、
請求項３に記載のプログラム。
【請求項５】
前記提供する段階は、
前記電子機器の画面に前記チャットルームが表示された状態で前記電子機器に対して特定のジェスチャーが入力されれば、前記チャットルームで前記写真添付機能を自動的にアクティブ化する段階
を含む、請求項１乃至４のいずれか一項に記載のプログラム。
【請求項６】
前記提供する段階は、
前記電子機器の画面に前記チャットルームが表示された状態で地面に対する前記電子機器の角度が予め定められた角度以上となれば、前記チャットルームで前記写真添付機能を自動的にアクティブ化する段階
を含む、請求項１乃至５のいずれか一項に記載のプログラム。
【請求項７】
前記提供する段階は、
前記チャットルームのメッセージ入力ウィンドウに入力中のメッセージ内容から感情情報が抽出されれば、前記チャットルームで前記写真添付機能を自動的にアクティブ化する段階
を含む、請求項１乃至６のいずれか一項に記載のプログラム。
【請求項８】
前記カスタムプロフィール提供方法は、
前記少なくとも１つのプロセッサにより、前記電子機器に保存された写真それぞれに対して前記写真と関連するキーワードを抽出してタグ付けする段階
をさらに含み、
前記提供する段階は、
前記タグ付けされたキーワードに基づき、前記電子機器に保存された写真のうちから前記チャットルームのメッセージ入力ウィンドウに入力されたメッセージに対応する少なくとも１つの写真を選択して前記写真推薦リストとして提供する段階
を含む、請求項２に記載のプログラム。
【請求項９】
前記送信する段階は、
前記メッセージの送信要求が入力された時点に前記カメラビューによって自動撮影された写真を、前記メッセージとともにサーバに送信する段階
を含む、請求項２に記載のプログラム。
【請求項１０】
前記送信する段階は、
前記メッセージの送信要求が入力された時点に前記写真推薦リストから写真が選択されている場合、前記選択された写真を前記メッセージとともにサーバに送信する段階
を含む、請求項２に記載のプログラム。
【請求項１１】
前記メッセージは、前記サーバ上でカスタムプロフィールを含んだメッセージタイプとして分類されて前記写真とともに管理される、
請求項９または１０に記載のプログラム。
【請求項１２】
電子機器に実現されたカスタムプロフィール提供システムであって、
メモリ、および
前記メモリに接続され、前記メモリに含まれたコンピュータ読み取り可能な命令を実行するように構成された少なくとも１つのプロセッサ
を含み、
前記少なくとも１つのプロセッサは、
チャットルームに対して前記チャットルームに表示されるプロフィールのカスタマイズのための入力イベントが認識されれば、前記チャットルームに写真添付機能を提供する写真添付提供部、
前記チャットルームで作成されたメッセージの送信要求に前記写真添付機能によって特定された写真が含まれる場合、前記メッセージとともに前記特定された写真を送信するメッセージ送信部、
前記チャットルームの前記メッセージに対応する前記メッセージのプロフィール領域に前記送信された写真を表示するプロフィール反映部
を含む、カスタムプロフィール提供システム。
【請求項１３】
前記写真添付提供部は、
前記チャットルームに対して認識された入力イベントに基づき、写真撮影のためのカメラビューおよび前記電子機器に保存された写真のうちの少なくとも一部を含む写真推薦リストのうちの少なくとも１つの写真添付機能を決定し、前記決定された少なくとも１つの写真添付機能を前記チャットルームに提供する、
請求項１２に記載のカスタムプロフィール提供システム。
【請求項１４】
前記写真添付提供部は、
前記チャットルームのメッセージ入力ウィンドウにタグとして定義された特殊文字が入力されれば、前記チャットルームで前記写真添付機能を自動的にアクティブ化する、
請求項１３に記載のカスタムプロフィール提供システム。
【請求項１５】
前記タグは、前記写真添付機能のうち、前記カメラビューを呼び出すための第１タグと前記写真推薦リストを呼び出すための第２タグとを含む、
請求項１４に記載のカスタムプロフィール提供システム。
【請求項１６】
前記写真添付提供部は、
前記電子機器の画面に前記チャットルームが表示された状態で前記電子機器に対して特定のジェスチャーが入力されれば、前記チャットルームで前記写真添付機能を自動的にアクティブ化する、
請求項１２乃至１５のいずれか一項に記載のカスタムプロフィール提供システム。
【請求項１７】
前記写真添付提供部は、
前記電子機器の画面に前記チャットルームが表示された状態で地面に対する前記電子機器の角度が予め定められた角度以上となれば、前記チャットルームで前記写真添付機能を自動的にアクティブ化する、
請求項１２乃至１６のいずれか一項に記載のカスタムプロフィール提供システム。
【請求項１８】
前記写真添付提供部は、
前記チャットルームのメッセージ入力ウィンドウに入力中のメッセージ内容から感情情報が抽出されれば、前記チャットルームで前記写真添付機能を自動的にアクティブ化する、
請求項１２乃至１７のいずれか一項に記載のカスタムプロフィール提供システム。
【請求項１９】
前記少なくとも１つのプロセッサは、
前記電子機器に保存された写真それぞれに対して前記写真と関連するキーワードを抽出してタグ付けする写真管理部
をさらに含み、
前記写真添付提供部は、
前記タグ付けされたキーワードに基づき、前記電子機器に保存された写真のうちから前記チャットルームのメッセージ入力ウィンドウに入力されたメッセージに対応する少なくとも１つの写真を選択して前記写真推薦リストとして提供する、
請求項１３に記載のカスタムプロフィール提供システム。
【請求項２０】
前記メッセージ送信部は、
前記メッセージの送信要求が入力された時点に前記カメラビューによって自動撮影された写真を、前記メッセージとともにサーバに送信する、
請求項１３に記載のカスタムプロフィール提供システム。
【請求項２１】
前記メッセージ送信部は、
前記メッセージの送信要求が入力された時点に前記写真推薦リストから写真が選択されている場合、前記選択された写真を前記メッセージとともにサーバに送信する、
請求項１３に記載のカスタムプロフィール提供システム。
【発明の詳細な説明】
【技術分野】
【０００１】
以下の説明は、チャットルームにおけるメッセージのプロフィール領域に写真を反映する技術に関する。
【背景技術】
【０００２】
一般的なコミュニケーションツールであるインスタントメッセンジャーは、メッセージやデータをリアルタイムで送受信することのできるソフトウェアであって、ユーザがメッセンジャー上に会話の相手を登録すると、会話リストに登録された相手とリアルタイムでメッセージをやり取りすることができる。
【０００３】
このようなメッセンジャー機能は、ＰＣはもちろん、移動通信端末のモバイル環境でもその使用が普遍化している。
【０００４】
例えば、韓国公開特許第１０−２００２−００７４３０４号公報（公開日２００２年９月３０日）には、携帯端末機にインストールされたモバイルメッセンジャー間にメッセンジャーサービスを提供することができるようにした、無線通信網を利用した携帯端末機のモバイルメッセンジャーサービスシステムおよび方法が開示されている。
【０００５】
一般的にメッセンジャーのチャットルームには、メッセージ別に該当のメッセージを送信したユーザのプロフィール写真を示す領域が提供される。
【発明の概要】
【発明が解決しようとする課題】
【０００６】
メッセンジャーやＳＮＳ（ｓｏｃｉａｌ  ｎｅｔｗｏｒｋ  ｓｅｒｖｉｃｅ）などのチャットルームにおいて、写真撮影および／または写真推薦によってメッセージ別にプロフィール写真領域をカスタマイズすることができる。
【０００７】
チャットルームでプロフィールカスタマイズのための写真添付にかかる過程と時間を最小化することにより、カスタムプロフィール機能の使用性を高めることができる。
【課題を解決するための手段】
【０００８】
電子機器が実行するカスタムプロフィール提供方法であって、前記電子機器は、メモリに含まれるコンピュータ読み取り可能な命令を実行するように構成された少なくとも１つのプロセッサを含み、前記カスタムプロフィール提供方法は、前記少なくとも１つのプロセッサにより、チャットルームに対して前記チャットルームに表示されるプロフィールのカスタマイズのための入力イベントが認識されれば、前記チャットルームに写真添付機能を提供する段階、前記少なくとも１つのプロセッサにより、前記チャットルームで作成されたメッセージの送信要求に前記写真添付機能によって特定された写真が含まれる場合、前記メッセージとともに前記特定された写真を送信する段階、および前記少なくとも１つのプロセッサにより、前記チャットルームの前記メッセージと対応する前記メッセージのプロフィール領域に前記送信された写真を表示する段階を含む、カスタムプロフィール提供方法を提供する。
【０００９】
一側面によると、前記提供する段階は、前記チャットルームに対して認識された入力イベントに基づき、写真撮影のためのカメラビューおよび前記電子機器に保存された写真のうちの少なくとも一部を含む写真推薦リストのうちの少なくとも１つの写真添付機能を決定し、前記決定された少なくとも１つの写真添付機能を前記チャットルームに提供する段階を含んでよい。
【００１０】
他の側面によると、前記提供する段階は、前記チャットルームのメッセージ入力ウィンドウにタグとして定義された特殊文字が入力されれば、前記チャットルームで前記写真添付機能を自動的にアクティブ化する段階を含んでよい。
【００１１】
また他の側面によると、前記タグは、前記写真添付機能のうち、前記カメラビューを呼び出すための第１タグと前記写真推薦リストを呼び出すための第２タグを含んでよい。
【００１２】
また他の側面によると、前記提供する段階は、前記電子機器の画面に前記チャットルームが表示された状態で前記電子機器に対して特定のジェスチャーが入力されれば、前記チャットルームで前記写真添付機能を自動的にアクティブ化する段階を含んでよい。
【００１３】
また他の側面によると、前記提供する段階は、前記電子機器の画面に前記チャットルームが表示された状態で地面に対する前記電子機器の角度が予め定められた角度以上となれば、前記チャットルームで前記写真添付機能を自動的にアクティブ化する段階を含んでよい。
【００１４】
また他の側面によると、前記提供する段階は、前記チャットルームのメッセージ入力ウィンドウに入力中のメッセージ内容から感情情報が抽出されれば、前記チャットルームで前記写真添付機能を自動的にアクティブ化する段階を含んでよい。
【００１５】
また他の側面によると、前記カスタムプロフィール提供方法は、前記少なくとも１つのプロセッサにより、前記電子機器に保存されたそれぞれの写真に対して前記写真と関連するキーワードを抽出してタグ付けする段階をさらに含み、前記提供する段階は、前記タグ付けされたキーワードに基づき、前記電子機器に保存された写真のうちから前記チャットルームのメッセージ入力ウィンドウに入力されたメッセージに対応する少なくとも１つの写真を選択して前記写真推薦リストとして提供する段階を含んでよい。
【００１６】
また他の側面によると、前記送信する段階は、前記メッセージの送信要求が入力された時点に前記カメラビューによって自動撮影された写真を、前記メッセージとともにサーバに送信する段階を含んでよい。
【００１７】
また他の側面によると、前記送信する段階は、前記メッセージの送信要求が入力された時点に前記写真推薦リストから写真が選択されている場合、前記選択された写真を前記メッセージとともにサーバに送信する段階を含んでよい。
【００１８】
さらに他の側面によると、前記メッセージは、前記サーバ上でカスタムプロフィールを含んだメッセージタイプとして分類されて前記写真とともに管理されてよい。
【００１９】
前記カスタムプロフィール提供方法をコンピュータに実行させるためのプログラムが記録されている、非一時的なコンピュータ読み取り可能な記録媒体を提供する。
【００２０】
電子機器に実現されたカスタムプロフィール提供システムであって、メモリ、および前記メモリに接続され、前記メモリに含まれるコンピュータ読み取り可能な命令を実行するように構成された少なくとも１つのプロセッサを含み、前記少なくとも１つのプロセッサは、チャットルームに対して前記チャットルームに表示されるプロフィールのカスタマイズのための入力イベントが認識されれば、前記チャットルームに写真添付機能を提供する写真添付提供部、前記チャットルームで作成されたメッセージの送信要求に前記写真添付機能によって特定された写真が含まれる場合、前記メッセージとともに前記特定された写真を送信するメッセージ送信部、および前記チャットルームの前記メッセージに対応する前記メッセージのプロフィール領域に前記送信された写真を表示するプロフィール反映部を含む、カスタムプロフィール提供システムを提供する。
【図面の簡単な説明】
【００２１】
【図１】本発明の一実施形態における、ネットワーク環境の例を示した図である。
【図２】本発明の一実施形態における、電子機器およびサーバの内部構成を説明するためのブロック図である。
【図３】本発明の一実施形態における、電子機器のプロセッサが含むことのできる構成要素の例を示した図である。
【図４】本発明の一実施形態における、電子機器が実行することのできる方法の例を示したフローチャートである。
【図５】本発明の一実施形態における、写真添付機能が自動的にアクティブ化する過程を説明するための例示図である。
【図６】本発明の一実施形態における、写真添付機能が自動的にアクティブ化する過程を説明するための例示図である。
【図７】本発明の一実施形態における、写真添付機能が自動的にアクティブ化する過程を説明するための例示図である。
【図８】本発明の一実施形態における、写真添付機能が自動的にアクティブ化する過程を説明するための例示図である。
【図９】本発明の一実施形態における、写真添付機能が自動的にアクティブ化する過程を説明するための例示図である。
【図１０】本発明の一実施形態における、チャットルームのカスタムプロフィールを説明するための例示図である。
【発明を実施するための形態】
【００２２】
以下、本発明の実施形態について、添付の図面を参照しながら詳細に説明する。
【００２３】
本発明の実施形態は、チャットルームでメッセージのプロフィール領域に写真を反映する技術に関する。
【００２４】
本明細書で具体的に開示される事項を含む実施形態は、メッセンジャーやＳＮＳなどのチャットルームでプロフィール写真領域をメッセージ別にカスタマイズすることができ、これによって効率性、使用性、利便性、費用節減などの側面において相当な長所を達成することができる。
【００２５】
図１は、本発明の一実施形態における、ネットワーク環境の例を示した図である。図１のネットワーク環境は、複数の電子機器１１０、１２０、１３０、１４０、複数のサーバ１５０、１６０、およびネットワーク１７０を含む例を示している。このような図１は、発明の説明のための一例に過ぎず、電子機器の数やサーバの数が図１のように限定されることはない。
【００２６】
複数の電子機器１１０、１２０、１３０、１４０は、コンピュータシステムによって実現される固定端末や移動端末であってよい。複数の電子機器１１０、１２０、１３０、１４０の例としては、スマートフォン、携帯電話、ナビゲーション、ＰＣ（ｐｅｒｓｏｎａｌ  ｃｏｍｐｕｔｅｒ）、ノート型ＰＣ、デジタル放送用端末、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、タブレット、ゲームコンソール、ウェアラブルデバイス、ＩｏＴ（ｉｎｔｅｒｎｅｔ  ｏｆ  ｔｈｉｎｇｓ）デバイス、ＶＲ（ｖｉｒｔｕａｌ  ｒｅａｌｉｔｙ）デバイス、ＡＲ（ａｕｇｍｅｎｔｅｄ  ｒｅａｌｉｔｙ）デバイスなどがある。一例として、図１では、電子機器１１０の例としてスマートフォンを示しているが、本発明の実施形態において、電子機器１１０は、実質的に無線または有線通信方式を利用し、ネットワーク１７０を介して他の電子機器１２０、１３０、１４０および／またはサーバ１５０、１６０と通信することのできる多様な物理的なコンピュータシステムのうちの１つを意味してよい。
【００２７】
通信方式が限定されることはなく、ネットワーク１７０が含むことのできる通信網（一例として、移動通信網、有線インターネット、無線インターネット、放送網、衛星網など）を利用する通信方式だけではなく、機器間の近距離無線通信が含まれてもよい。例えば、ネットワーク１７０は、ＰＡＮ（ｐｅｒｓｏｎａｌ  ａｒｅａ  ｎｅｔｗｏｒｋ）、ＬＡＮ（ｌｏｃａｌ  ａｒｅａ  ｎｅｔｗｏｒｋ）、ＣＡＮ（ｃａｍｐｕｓ  ａｒｅａ  ｎｅｔｗｏｒｋ）、ＭＡＮ（ｍｅｔｒｏｐｏｌｉｔａｎ  ａｒｅａ  ｎｅｔｗｏｒｋ）、ＷＡＮ（ｗｉｄｅ  ａｒｅａ  ｎｅｔｗｏｒｋ）、ＢＢＮ（ｂｒｏａｄｂａｎｄ  ｎｅｔｗｏｒｋ）、インターネットなどのネットワークのうちの１つ以上の任意のネットワークを含んでよい。さらに、ネットワーク１７０は、バスネットワーク、スターネットワーク、リングネットワーク、メッシュネットワーク、スター−バスネットワーク、ツリーまたは階層的ネットワークなどを含むネットワークトポロジのうちの任意の１つ以上を含んでもよいが、これらに限定されることはない。
【００２８】
サーバ１５０、１６０それぞれは、複数の電子機器１１０、１２０、１３０、１４０とネットワーク１７０を介して通信して命令、コード、ファイル、コンテンツ、サービスなどを提供する１つ以上のコンピュータ装置によって実現されてよい。例えば、サーバ１５０は、ネットワーク１７０を介して接続した複数の電子機器１１０、１２０、１３０、１４０に第１サービスを提供するシステムであってよく、サーバ１６０も、ネットワーク１７０を介して接続した複数の電子機器１１０、１２０、１３０、１４０に第２サービスを提供するシステムであってよい。より具体的な例として、サーバ１５０は、複数の電子機器１１０、１２０、１３０、１４０においてインストールされて実行されるコンピュータプログラムであるアプリケーションを通じ、該当のアプリケーションが目的とするサービス（一例として、メッセンジャー、ＳＮＳなど）を第１サービスとして複数の電子機器１１０、１２０、１３０、１４０に提供してよい。他の例として、サーバ１６０は、上述したアプリケーションのインストールおよび実行のためのファイルを複数の電子機器１１０、１２０、１３０、１４０に配布するサービスを第２サービスとして提供してよい。
【００２９】
図２は、本発明の一実施形態における、電子機器およびサーバの内部構成を説明するためのブロック図である。図２では、電子機器に対する例として電子機器１１０の内部構成およびサーバ１５０の内部構成について説明する。また、他の電子機器１２０、１３０、１４０やサーバ１６０も、上述した電子機器１１０またはサーバ１５０と同一または類似の内部構成を有してよい。
【００３０】
電子機器１１０およびサーバ１５０は、メモリ２１１、２２１、プロセッサ２１２、２２２、通信モジュール２１３、２２３、および入力／出力インタフェース２１４、２２４を含んでよい。メモリ２１１、２２１は、非一時的なコンピュータ読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、ディスクドライブ、ＳＳＤ（ｓｏｌｉｄ  ｓｔａｔｅ  ｄｒｉｖｅ）、フラッシュメモリ（ｆｌａｓｈ  ｍｅｍｏｒｙ）などのような永続的大容量記録装置を含んでよい。ここで、ＲＯＭ、ＳＳＤ、フラッシュメモリ、ディスクドライブのような永続的大容量記録装置は、メモリ２１１、２２１とは区分される別の永続的記録装置として電子機器１１０やサーバ１５０に含まれてもよい。また、メモリ２１１、２２１には、オペレーティングシステムと、少なくとも１つのプログラムコード（一例として、電子機器１１０においてインストールされて実行されるブラウザや、特定のサービスの提供のために電子機器１１０にインストールされるアプリケーションなどのためのコード）が記録されてよい。このようなソフトウェア構成要素は、メモリ２１１、２２１とは別のコンピュータ読み取り可能な記録媒体からロードされてよい。このような別のコンピュータ読み取り可能な記録媒体は、フロッピードライブ、ディスク、テープ、ＤＶＤ／ＣＤ−ＲＯＭドライブ、メモリカードなどのコンピュータ読み取り可能な記録媒体を含んでよい。他の実施形態において、ソフトウェア構成要素は、コンピュータ読み取り可能な記録媒体ではない通信モジュール２１３、２２３を通じてメモリ２１１、２２１にロードされてもよい。例えば、少なくとも１つのプログラムは、開発者またはアプリケーションのインストールファイルを配布するファイル配布システム（一例として、上述したサーバ１６０）がネットワーク１７０を介して提供するファイルによってインストールされるコンピュータプログラム（一例として、上述したアプリケーション）に基づいてメモリ２１１、２２１にロードされてよい。
【００３１】
プロセッサ２１２、２２２は、基本的な算術、ロジック、および入出力演算を実行することにより、コンピュータプログラムの命令を処理するように構成されてよい。命令は、メモリ２１１、２２１または通信モジュール２１３、２２３によって、プロセッサ２１２、２２２に提供されてよい。例えば、プロセッサ２１２、２２２は、メモリ２１１、２２１のような記録装置に記録されたプログラムコードにしたがって受信される命令を実行するように構成されてよい。
【００３２】
通信モジュール２１３、２２３は、ネットワーク１７０を介して電子機器１１０とサーバ１５０とが互いに通信するための機能を提供してもよいし、電子機器１１０および／またはサーバ１５０が他の電子機器（一例として、電子機器１２０）または他のサーバ（一例として、サーバ１６０）と通信するための機能を提供してもよい。一例として、電子機器１１０のプロセッサ２１２がメモリ２１１のような記録装置に記録されたプログラムコードにしたがって生成した要求が、通信モジュール２１３の制御にしたがってネットワーク１７０を介してサーバ１５０に伝達されてよい。これとは逆に、サーバ１５０のプロセッサ２２２の制御にしたがって提供される制御信号や命令、コンテンツ、ファイルなどが、通信モジュール２２３とネットワーク１７０を経て電子機器１１０の通信モジュール２１３を通じて電子機器１１０に受信されてよい。例えば、通信モジュール２１３を通じて受信されたサーバ１５０の制御信号や命令、コンテンツ、ファイルなどは、プロセッサ２１２やメモリ２１１に伝達されてよく、コンテンツやファイルなどは、電子機器１１０がさらに含むことのできる記録媒体（上述した永続的記録装置）に記録されてよい。
【００３３】
入力／出力インタフェース２１４は、入力／出力装置２１５とのインタフェースのための手段であってよい。例えば、入力装置は、キーボード、マウス、マイクロフォン、カメラなどの装置を、出力装置は、ディスプレイ、スピーカ、触覚フィードバックデバイスなどのような装置を含んでよい。他の例として、入力／出力インタフェース２１４は、タッチスクリーンのように入力と出力のための機能が１つに統合された装置とのインタフェースのための手段であってもよい。入力／出力装置２１５は、電子機器１１０と１つの装置で構成されてもよい。また、サーバ１５０の入力／出力インタフェース２２４は、サーバ１５０に接続するかサーバ１５０が含むことのできる入力または出力のための装置（図示せず）とのインタフェースのための手段であってよい。より具体的な例として、電子機器１１０のプロセッサ２１２がメモリ２１１にロードされたコンピュータプログラムの命令を処理するにあたり、サーバ１５０や電子機器１２０が提供するデータを利用して構成されるサービス画面やコンテンツが、入力／出力インタフェース２１４を通じてディスプレイに表示されてよい。
【００３４】
また、他の実施形態において、電子機器１１０およびサーバ１５０は、図２の構成要素よりも多くの構成要素を含んでもよい。しかし、大部分の従来技術的構成要素を明確に図に示す必要はない。例えば、電子機器１１０は、上述した入力／出力装置２１５のうちの少なくとも一部を含むように実現されてもよいし、トランシーバ、ＧＰＳ（Ｇｌｏｂａｌ  Ｐｏｓｉｔｉｏｎｉｎｇ  Ｓｙｓｔｅｍ）モジュール、カメラ、各種センサ、データベースなどのような他の構成要素をさらに含んでもよい。より具体的な例として、電子機器１１０がスマートフォンである場合、一般的にスマートフォンが含んでいる加速度センサやジャイロセンサ、カメラモジュール、物理的な各種ボタン、タッチパネルを利用したボタン、入力／出力ポート、振動のための振動器などのような多様な構成要素が、電子機器１１０にさらに含まれるように実現されてよい。
【００３５】
以下では、チャットルームに表示されるメッセージのプロフィール写真領域をカスタマイズする方法およびシステムの具体的な実施形態について説明する。
【００３６】
図３は、本発明の一実施形態における、電子機器のプロセッサが含むことのできる構成要素の例を示したブロック図であり、図４は、本発明の一実施形態における、電子機器が実行することのできる方法の例を示したフローチャートである。
【００３７】
本実施形態に係る電子機器１１０には、コンピュータで実現されたカスタムプロフィール提供システムが構成されてよい。カスタムプロフィール提供システムは、電子機器１１０上にインストールされるアプリケーションの形態で実現され、サーバ１５０との連動によるネットワーク環境においてメッセンジャーやＳＮＳなどの目的とするサービスを提供してよい。
【００３８】
例えば、電子機器１１０にインストールされたアプリケーションが提供する命令に基づき、電子機器１１０に実現されたカスタムプロフィール提供システムは、カスタムプロフィール提供方法を実行してよい。図４に係るカスタムプロフィール提供方法を実行するために、電子機器１１０のプロセッサ２１２は、構成要素として、図３に示すように、イベント認識部３１０、写真添付提供部３２０、写真管理部３３０、メッセージ送信部３４０、およびプロフィール反映部３５０を含んでよい。実施形態によって、プロセッサ２１２の構成要素は、選択的にプロセッサ２１２に含まれても除外されてもよい。また、実施形態によって、プロセッサ２１２の構成要素は、プロセッサ２１２の機能の表現のために分離されても併合されてもよい。
【００３９】
このようなプロセッサ２１２およびプロセッサ２１２の構成要素は、図４のカスタムプロフィール提供方法が含む段階４１０〜４５０を実行するように電子機器１１０を制御してよい。例えば、プロセッサ２１２およびプロセッサ２１２の構成要素は、メモリ２１１が含むオペレーティングシステムのコードと少なくとも１つのプログラムのコードとによる命令を実行するように実現されてよい。
【００４０】
ここで、プロセッサ２１２の構成要素は、電子機器１１０に記録されたプログラムコードが提供する命令（一例として、電子機器１１０で実行されるアプリケーションが提供する命令）にしたがってプロセッサ２１２によって実行される、プロセッサ２１２の互いに異なる機能の表現であってよい。例えば、電子機器１１０がチャットルームに対する入力イベントを認識するように上述した命令にしたがって電子機器１１０を制御するプロセッサ２１２の機能的表現として、イベント認識部３１０が利用されてよい。
【００４１】
段階４１０で、プロセッサ２１２は、電子機器１１０の制御と関連する命令がロードされたメモリ２１１から必要な命令を読み取ってよい。この場合、前記読み取られた命令は、以下で説明される段階４２０〜４５０をプロセッサ２１２が実行するように制御するための命令を含んでよい。
【００４２】
段階４２０で、イベント認識部３１０は、チャットルームに対して該当のチャットルームに表示されるプロフィールをカスタマイズするための入力イベントを認識してよい。メッセンジャーやＳＮＳなどでは、チャットルームにメッセージを表示するときに該当のメッセージを発信したユーザのプロフィール領域も表示するが、本発明では、メッセージ別に異なるプロフィール写真を適用することができるカスタムプロフィール機能を提供する。カスタムプロフィール機能は、メッセージ送信時に、該当のメッセージのプロフィール領域に適用するための写真をともに添付して送信する。したがって、メッセージごとに異なるプロフィール写真を適用することができ、これによって多様な感情表現や娯楽性を提供することができる。このようなカスタムプロフィール機能の使用性を高めるためには、写真添付のためのユーザ命令を入力する過程と、写真添付にかかる時間を減らすための努力が必要となる。このために、チャットルームで別途のメニューを操作せずに写真添付機能を直ぐに呼び出すための入力ルールを事前に定義してよいが、一例として、イベント認識部３１０は、チャットルームのメッセージ入力ウィンドウにタグとして定義された特殊文字、例えば、「＃、＠、＋」などのような記号が入力されれば、これを写真添付機能の呼び出しのための入力イベントとして認識してよい。他の例として、イベント認識部３１０は、電子機器１１０の画面にチャットルームが表示された状態で特定のジェスチャー、例えば、シェイクジェスチャーが入力されれば、これを写真添付機能の呼び出しのための入力イベントとして認識してよい。また他の例として、イベント認識部３１０は、電子機器１１０の画面にチャットルームが表示された状態で地面に対する電子機器１１０の角度（または傾き）が予め定められた角度（例えば、７０度）以上となれば、これを写真添付機能の呼び出しのための入力イベントとして認識してよい。さらに他の例として、イベント認識部３１０は、チャットルームのメッセージ入力ウィンドウに入力中のメッセージ内容から感情情報が抽出されれば、これを写真添付機能の呼び出しのための入力イベントとして認識してよい。このとき、イベント認識部３１０は、ユーザがチャットルームのメッセージ入力ウィンドウに入力中のメッセージ内容から、感情を示す用語として事前に分類されたキーワードを抽出してよく、カスタムプロフィール機能に対する学習やユーザ履歴に基づいて入力イベントを認識してよい。
【００４３】
段階４３０で、写真添付提供部３２０は、段階４２０で認識された入力イベントに基づき、写真撮影のためのカメラビューおよび電子機器１１０に保存された写真のうちの少なくとも一部を含む写真推薦リストのうちの少なくとも１つの写真添付機能を決定し、決定された写真添付機能をチャットルームに提供してよい。言い換えれば、写真添付提供部３２０は、チャットルームのプロフィールカスタマイズのための入力イベントが認識されれば、写真添付機能としてカメラビューおよび写真推薦リストのうちの少なくとも１つを提供してよい。このとき、写真添付提供部３２０は、入力イベントに基づき、カメラビューだけを提供するか、写真推薦リストだけを提供するか、あるいはカメラビューと写真推薦リストの両方を提供してよい。したがって、写真添付提供部３２０は、ユーザが個別のメニューを直に操作しなくても、チャットルームにおけるメッセージ作成過程で認識される入力イベントだけで写真添付機能を自動的にアクティブ化することができる。
【００４４】
写真推薦のための必要な事前過程として、写真管理部３３０は、電子機器１１０に保存された写真それぞれに対して写真から写真と関連する単語やキーワードなどのキーワードを抽出し、抽出されたキーワードをタグ付けしてよい。写真管理部３３０は、人工知能アプリケーションフレームワーク、例えば、ｉＯＳ  ＣｏｒｅＭＬのＶｉｓｉｏｎ  ｆｒａｍｅｗｏｒｋ（ｈｔｔｐｓ：／／ｄｅｖｅｌｏｐｅｒ．ａｐｐｌｅ．ｃｏｍ／ｄｏｃｕｍｅｎｔａｔｉｏｎ／ｖｉｓｉｏｎ／ｃｌａｓｓｉｆｙｉｎｇ＿ｉｍａｇｅｓ＿ｗｉｔｈ＿ｖｉｓｉｏｎ＿ａｎｄ＿ｃｏｒｅ＿ｍｌ）または顔認識ＡＰＩ（ｈｔｔｐｓ：／／ｗｉｃｇ．ｇｉｔｈｕｂ．ｉｏ／ｓｈａｐｅ−ｄｅｔｅｃｔｉｏｎ−ａｐｉ／）などを利用することで、写真から関連するキーワード（事物の名称や類似語など）を抽出して記録してよい。写真管理部３３０は、電子機器１１０に保存された全体の写真に対して事前にタグ付け作業を完了させることも可能であるし、あるいは写真添付提供部３２０から写真推薦が要求された時点に電子機器１１０に保存された全体の写真のうちでここ最近に保存された一部の写真（例えば、ここ１週間以内に保存された写真、またはここ最近に保存された１００枚の写真など）に対してリアルタイムでタグ付け作業を実行することも可能である。これにより、写真添付提供部３２０は、タグ付け作業がなされた写真のうち、チャットルームのメッセージ入力ウィンドウに入力されたメッセージに対応するキーワードがタグ付けされた写真を、写真添付機能の写真推薦リストとして提供してよい。写真添付提供部３２０は、タグ付けされたキーワードに基づき、電子機器１１０に保存された写真のうちからチャットルームのメッセージ入力ウィンドウに入力されたメッセージに対応する少なくとも１つの写真を選択し、写真推薦リストとして提供してよい。本明細書では、カスタムプロフィール機能の推薦対象として写真を代表的な例として説明しているが、これに限定されてはならず、静止映像はもちろん、動画やＧＩＦファイルなどが推薦対象に含まれてもよい。例えば、動画の場合は、代表イメージやサムネイルなどのような少なくとも一部のフレームから関連キーワードを抽出してタグ付けしてよく、動画にタグ付けされたキーワードに基づいて動画推薦リストを提供することも可能である。
【００４５】
段階４４０で、メッセージ送信部３４０は、チャットルームで作成されたメッセージの送信要求に写真添付機能によって特定された写真が含まれる場合、特定された写真を該当のメッセージとともに送信してよい。メッセージ送信部３４０は、チャットルームのメッセージ入力ウィンドウに入力されたメッセージに対する送信要求にしたがって該当のメッセージをサーバ１５０に送信するようになるが、このとき、メッセージ送信時に写真添付機能によって特定された写真、すなわち、カメラビューによって撮影された写真あるいは写真推薦リストから選択された写真をともに送信してよい。メッセージ送信部３４０は、メッセージの送信要求が入力された時点にカメラビューによって写真を自動撮影し、撮影された写真をメッセージとともに送信してもよく、あるいはメッセージの送信要求が入力された時点に写真推薦リストからユーザによって写真が選択されている場合には、選択された写真を該当のメッセージとともに送信してよい。このとき、メッセージ送信部３４０は、写真添付機能によって特定された写真とともにメッセージをサーバ１５０に送信してよく、これにより、サーバ１５０は、該当のメッセージを、カスタムプロフィールを含んだメッセージタイプとして分類して写真とともに記録および管理し、カスタムプロフィールを含んだメッセージタイプの場合は、チャットルームに含まれたユーザにメッセージと写真の両方を伝達してよい。
【００４６】
段階４５０で、プロフィール反映部３５０は、チャットルームに該当のチャットルームでやり取りしたメッセージを表示する過程において、各メッセージに対応するプロフィール領域に、該当のメッセージとともに送信された写真を反映してよい。言い換えれば、プロフィール反映部３５０は、チャットルームでやり取りしたメッセージのうちでカスタムプロフィールを含んだメッセージタイプの場合は、メッセージごとに異なるプロフィール写真が反映されたプロフィール領域を表示してよい。
【００４７】
したがって、本発明では、チャットルームに写真撮影のためのカメラビューや人工知能を利用した写真推薦による写真添付機能を提供し、これを利用することでメッセージごとにプロフィール領域をカスタマイズすることができる。
【００４８】
図５〜９は、本発明の一実施形態における、写真添付機能が自動的にアクティブ化する過程を説明するための例示図である。
【００４９】
写真添付機能が自動的にアクティブ化する過程の一例として、図５を参照すると、電子機器１１０のプロセッサ２１２は、チャットルーム５００のメッセージ入力ウィンドウにタグとして定義された特殊文字５０１とともにキーワード５０２が入力されれば、該当の特殊文字５０１を写真添付機能の呼び出しのための入力イベントとして認識して写真添付機能を自動アクティブ化してよく、このとき、写真添付機能として、簡単な写真撮影が可能なカメラビュー５１０と、キーワード５０２と関連する写真推薦リスト５２０とを自動で提供してよい。例えば、ユーザがチャットルーム５００のメッセージ入力ウィンドウにタグ「＃」とともにキーワード「ｐｈｏｎｅ」を入力した場合、電子機器１１０のプロセッサ２１２は、タグ「＃」が認識されることによってカメラビュー５１０を直ぐにアクティブ化すると同時に、電子機器１１０に保存された写真のうちでキーワード「ｐｈｏｎｅ」がタグ付けされた写真推薦リスト５２０をともに提供してよい。電子機器１１０のプロセッサ２１２は、キーワードとマッチングする写真推薦リスト５２０を提供することの他にも、オブジェクト認識技術に基づき、カメラビュー５１０によってキャプチャされたイメージからキーワードとマッチングするオブジェクトを認識してカメラフォーカスを自動で調節することも可能である。例えば、ユーザがチャットルーム５００のメッセージ入力ウィンドウにタグ「＃」とともにキーワード「ｐｈｏｎｅ」を入力した場合、カメラビュー５１０を直ぐにアクティブ化すると同時に、カメラビュー５１０によってキャプチャされたイメージから「ｐｈｏｎｅ」に対応するオブジェクトにフォーカスが合うようにしてよい。
【００５０】
写真添付機能が自動的にアクティブ化する過程の他の例として、図６を参照すると、電子機器１１０のプロセッサ２１２は、チャットルーム６００が表示された状態で電子機器１１０に対してシェイクジェスチャー６０１が入力されれば、写真添付機能としてカメラビュー６１０を自動的にアクティブ化してよい。このとき、電子機器１１０のプロセッサ２１２は、シェイクジェスチャー６０１が認識されることにより、カメラビュー６１０とともに、メッセージ作成のためのキーボード領域６３０をアクティブ化することも可能である。また、電子機器１１０のプロセッサ２１２は、チャットルーム６００のメッセージ入力ウィンドウにキーワードの一部が入力された状態で電子機器１１０に対するシェイクジェスチャー６０１が入力されれば、写真添付機能として、該当のキーワードと関連する写真推薦リストをカメラビュー６１０とともにアクティブ化してもよい。
【００５１】
写真添付機能が自動的にアクティブ化する過程のまた他の例として、図７を参照すると、電子機器１１０のプロセッサ２１２は、電子機器１１０の角度（または傾き）７０１を認識し、チャットルーム７００が表示された状態で電子機器１１０の角度７０１が定められた角度（例えば、７０度）以上となれば、写真添付機能としてカメラビュー７１０を自動的にアクティブ化してよい。このとき、電子機器１１０のプロセッサ２１２は、カメラビュー７１０とともに、メッセージ作成のためのキーボード領域７３０をアクティブ化することも可能である。また、電子機器１１０のプロセッサ２１２は、チャットルーム７００のメッセージ入力ウィンドウにキーワードの一部が入力された状態で電子機器１１０が定められた角度以上に傾けられれば、写真添付機能として、該当のキーワードと関連する写真推薦リストをカメラビュー７１０とともにアクティブ化してもよい。
【００５２】
また他の例として、写真添付機能として、カメラビューを呼び出すためのタグと写真推薦リストを呼び出すためのタグとを区分して適用することも可能である。図８を参照すると、電子機器１１０のプロセッサ２１２は、チャットルーム８００のメッセージ入力ウィンドウに第１タグ８０１−１として「＠」が入力される場合、写真添付機能としてカメラビュー８１０をアクティブ化してよく、チャットルーム８００のメッセージ入力ウィンドウに第２タグ８０１−２として「＃」が入力される場合、写真添付機能として写真推薦リスト８２０をアクティブ化してよい。写真推薦リスト８２０は、電子機器１１０に保存された写真のうち、第２タグ８０１−２「＃」とともに入力されたキーワード８０２「ｐｈｏｎｅ」がタグ付けされた写真リストで構成されてよい。
【００５３】
写真添付機能が自動的にアクティブ化する過程のさらに他の例として、図９を参照すると、電子機器１１０のプロセッサ２１２は、チャットルーム９００のメッセージ入力ウィンドウに入力されたキーワード９０２から感情情報が抽出される場合、写真添付機能として、カメラビュー９１０と、キーワード９０２と関連する写真推薦リスト９２０とを提供してよい。感情情報は、チャットルーム９００のメッセージ入力ウィンドウに作成されたメッセージ内容に含まれた単語や文章などから抽出されてよい。感情を示す用語、すなわち感情用語は事前に定められてよく、電子機器１１０のプロセッサ２１２は、チャットルーム９００のメッセージ入力ウィンドウに感情用語として分類されたキーワード９０２が入力される場合、これを感情情報が抽出されたと判断して写真添付機能を自動的にアクティブ化してよい。このとき、写真推薦リスト９２０は、電子機器１１０に保存された写真のうち、チャットルーム９００のメッセージ入力ウィンドウにキーワード９０２「ｐｅｒｆｅｃｔ」がタグ付けされた写真リストで構成されてよい。または、電子機器１１０のプロセッサ２１２は、カスタムプロフィールに対するユーザ履歴を学習したり累積したりしてよく、感情用語別にユーザ履歴に基づいて写真推薦リスト９２０を提供してよい。例えば、チャットルーム９００のメッセージ入力ウィンドウに感情用語に該当するキーワード９０２「ｐｅｒｆｅｃｔ」が入力された場合、「ｐｅｒｆｅｃｔ」に対して以前にユーザが最も多く添付した写真またはここ最近に添付した写真を自動で推薦してよい。
【００５４】
電子機器１１０のプロセッサ２１２は、チャットルームに対して事前に定義された入力イベントが認識される場合、カメラビューと写真推薦リストのうちの少なくとも１つの写真添付機能を自動的にアクティブ化してよく、チャットルームのメッセージ入力ウィンドウに入力されたメッセージを送信するときに写真添付機能によって特定された写真をともに送信し、該当のメッセージのプロフィール領域に反映されるようにしてよい。図１０を参照すると、チャットルーム１０００にチャットルーム１０００でやり取りしたメッセージを表示するとき、メッセージ作成時に写真添付機能によって添付した写真を該当のメッセージのプロフィール領域１０１１、１０１２、１０２１に反映してよい。図１０は、電子機器１１０のユーザＡが他のユーザ「ＨＹ☆☆」、「ナヤナ」とメッセージをやり取りするチャットルーム１０００を示している。ユーザ「ＨＹ☆☆」がメッセージごとに異なる写真を添付して送信した場合、同じユーザが送信したメッセージであっても、各メッセージのプロフィール領域１０１１、１０１２には異なるプロフィール写真が反映されてよい。ユーザＡが送信したメッセージはチャットルーム１０００の右側に、「ＨＹ☆☆」と「ナヤナ」が送信したメッセージはチャットルーム１０００の左側に並ぶようになるが、このとき、ユーザＡが送信したメッセージにはプロフィール領域が表示されないが、ユーザＡがメッセージ送信時に写真添付機能によって写真を添付した場合には、該当のメッセージに対してプロフィール領域１０２１が表示されてよい。電子機器１１０のプロセッサ２１２は、チャットルームに対してカスタムプロフィール機能を適用することにより、チャットルーム１０００のメッセージごとに、該当のメッセージのプロフィール領域に反映しようとする写真をカスタマイズすることができる。
【００５５】
このように、本発明の実施形態によると、メッセンジャーやＳＮＳなどのチャットルームにおいて、写真撮影および／または写真推薦によってプロフィール写真領域をメッセージ別にカスタマイズすることができ、チャットルームでプロフィールカスタマイズのための写真添付にかかる過程と時間を最小化することにより、カスタムプロフィール機能の使用性を高めることができる。
【００５６】
上述した装置は、ハードウェア構成要素、ソフトウェア構成要素、および／またはハードウェア構成要素とソフトウェア構成要素との組み合わせによって実現されてよい。例えば、実施形態で説明された装置および構成要素は、プロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてよい。処理装置は、オペレーティングシステム（ＯＳ）およびＯＳ上で実行される１つ以上のソフトウェアアプリケーションを実行してよい。また、処理装置は、ソフトウェアの実行に応答し、データにアクセスし、データを記録、操作、処理、および生成してもよい。理解の便宜のために、１つの処理装置が使用されるとして説明される場合もあるが、当業者は、処理装置が複数個の処理要素および／または複数種類の処理要素を含んでもよいことが理解できるであろう。例えば、処理装置は、複数個のプロセッサまたは１つのプロセッサおよび１つのコントローラを含んでよい。また、並列プロセッサのような、他の処理構成も可能である。
【００５７】
ソフトウェアは、コンピュータプログラム、コード、命令、またはこれらのうちの１つ以上の組み合わせを含んでもよく、思うままに動作するように処理装置を構成したり、独立的または集合的に処理装置に命令したりしてよい。ソフトウェアおよび／またはデータは、処理装置に基づいて解釈されたり、処理装置に命令またはデータを提供したりするために、いかなる種類の機械、コンポーネント、物理装置、コンピュータ記録媒体または装置に具現化されてよい。ソフトウェアは、ネットワークによって接続されたコンピュータシステム上に分散され、分散された状態で記録されても実行されてもよい。ソフトウェアおよびデータは、１つ以上のコンピュータ読み取り可能な記録媒体に記録されてよい。
【００５８】
実施形態に係る方法は、多様なコンピュータ手段によって実行可能なプログラム命令の形態で実現されてコンピュータ読み取り可能な媒体に記録されてよい。ここで、媒体は、コンピュータ実行可能なプログラムを継続して記録するものであっても、実行またはダウンロードのために一時記録するものであってもよい。また、媒体は、単一または複数のハードウェアが結合した形態の多様な記録手段または格納手段であってよく、あるコンピュータシステムに直接接続する媒体に限定されることはなく、ネットワーク上に分散して存在するものであってもよい。媒体の例は、ハードディスク、フロッピー（登録商標）ディスク、および磁気テープのような磁気媒体、ＣＤ−ＲＯＭおよびＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどを含み、プログラム命令が記録されるように構成されたものであってよい。また、媒体の他の例として、アプリケーションを配布するアプリケーションストアやその他の多様なソフトウェアを供給または配布するサイト、サーバなどで管理する記録媒体または格納媒体が挙げられる。
【００５９】
以上のように、実施形態を、限定された実施形態および図面に基づいて説明したが、当業者であれば、上述した記載から多様な修正および変形が可能であろう。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【００６０】
したがって、異なる実施形態であっても、特許請求の範囲と均等なものであれば、添付される特許請求の範囲に属する。
【図１】
2021520533.tif 000003
【図２】
2021520533.tif 000004
【図３】
2021520533.tif 000005
【図４】
2021520533.tif 000006
【図５】
2021520533.tif 000007
【図６】
2021520533.tif 000008
【図７】
2021520533.tif 000009
【図８】
2021520533.tif 000010
【図９】
2021520533.tif 000011
【図１０】
2021520533.tif 000012
【国際調査報告】
2021520533.tif 000013
2021520533.tif 000014
2021520533.tif 000015
2021520533.tif 000016